(57)【特許請求の範囲】
【請求項１】
被写体の画像を表示する表示面を備え、収納状態から第１の方向に変位させることで第１の使用状態に変位させることができるとともに、前記収納状態から前記第１の方向とは反対方向となる第２の方向に変位させることで第２の使用状態に変位させることができる表示部と、
前記表示面に表示される前記被写体の画像の上下方向の向きを反転させることができる操作部材と、
前記表示部を前記第１の使用状態に変位させたときには、前記表示面に前記被写体の画像を第１の向きで表示し、前記表示部を前記第２の使用状態に変位させたときには、前記表示面に前記被写体の画像を前記第１の向きとは上下方向の向きが反転された第２の向きで表示する表示制御手段とを有し、
前記表示制御手段は、前記表示部を前記第１の使用状態または前記第２の使用状態に変位させたときには、前記操作部材の操作に応じて、前記表示面に表示される前記被写体の画像の上下方向の向きを反転させるとともに、前記表示部が前記第１の使用状態または前記第２の使用状態から前記収納状態に変位させたときに前記反転を解除することを特徴とする撮像装置。
【請求項２】
前記表示部を前記収納状態から前記第１の方向に変位させたことを検知する第１の検知スイッチと、
前記表示部を前記収納状態から前記第２の方向に変位させたことを検知する第２の検知スイッチとを有し、
前記表示制御手段は、前記第１の検知スイッチによって前記表示部が前記収納状態から前記第１の方向に変位したことを検知せず、かつ前記第２の検知スイッチによって前記表示部が前記収納状態から前記第２の方向に変位したことを検知しないときに、前記反転を解除することを特徴とする請求項１に記載の撮像装置。
【請求項３】
前記表示部を前記第１の使用状態から前記第２の使用状態に変位させる際に、前記表示部は前記収納状態となることを特徴とする請求項２に記載の撮像装置。
【請求項４】
前記操作部材は、前記表示面の裏面に配設されることを特徴とする請求項１ないし３のいずれか１項に記載の撮像装置。
【請求項５】
前記表示部は、液晶ディスプレイおよび発光部を備え、
前記操作部材は、前記発光部と近接して配設されていることを特徴とする請求項４に記載の撮像装置。
【請求項６】
前記撮像装置を把持するグリップ部を備え、
前記操作部材は、前記表示部が前記グリップ部とは反対側に位置し前記表示面が前記被写体側に向いている場合に、前記表示部の上側となる部分に配設されていることを特徴とする請求項４または５に記載の撮像装置。
【発明の詳細な説明】
【技術分野】
【０００１】
本発明は、撮像装置に関するものであり、撮像している被写体の画像を表示する表示部を備えた撮像装置に用いられて好適である。
【背景技術】
【０００２】
近年、デジタルスチルカメラやビデオカメラ等の撮像装置においては、撮像中の画像を表示させる表示部を備えたものが普及している。表示部としては、画像を視認しやすくするために、３．５インチ等の比較的大型の画面サイズの表示パネルが用いられることが多い。表示部を大型サイズとした場合、撮像装置本体に対して表示部が占める面積が大きくなるため、表示部を撮像装置本体の側面等にヒンジ等の回動機構を介して接続させ、撮像装置本体に対して折り畳み可能な構成にしている。さらに、表示部と撮像装置本体とを回転軸を中心に回動可能な構成とすることで、表示部の角度を、撮影者が見やすい角度に自由に変更できるようにしている。（特許文献１参照）
【先行技術文献】
【特許文献】
【０００３】
【特許文献１】特開２００５−２１０６７７号公報
【発明の概要】
【発明が解決しようとする課題】
【０００４】
しかしながら、平面モニタが自己を撮影する状態のときに、自動的に所定の位相で画像が反転させることが好ましいとは限られない。すなわち、撮影者は様々な方向から画像の確認を行う場合もあり、この場合、自動的に画像の表示方向を反転させるよりも、撮影者が任意に画像の表示方向を反転できる方が好ましい。
その一方で、一度設定した反転設定を撮影者が解除するまで継続してしまうと、逆に使い勝手が低下してしまう。
【０００５】
本発明は、上述したような問題に鑑みてなされたものであり、表示部の位置によらず、撮影者が任意に表示部に表示される被写体の表示方向を変更できるとともに、変更した表示方向の解除を適切なタイミングで行うことのできる撮像装置を提供することを目的とする。
【課題を解決するための手段】
【０００６】
本発明の撮像装置は、被写体の画像を表示する表示面を備え、収納状態から第１の方向に変位させることで第１の使用状態に変位させることができるとともに、前記収納状態から前記第１の方向とは反対方向となる第２の方向に変位させることで第２の使用状態に変位させることができる表示部と、前記表示面に表示される前記被写体の画像の上下方向の向きを反転させることができる操作部材と、前記表示部を前記第１の使用状態に変位させたときには、前記表示面に前記被写体の画像を第１の向きで表示し、前記表示部を前記第２の使用状態に変位させたときには、前記表示面に前記被写体の画像を前記第１の向きとは上下方向の向きが反転された第２の向きで表示する表示制御手段とを有し、前記表示制御手段は、前記表示部を前記第１の使用状態または前記第２の使用状態に変位させたときには、前記操作部材の操作に応じて、前記表示面に表示される前記被写体の画像の上下方向の向きを反転させるとともに、前記表示部が前記第１の使用状態または前記第２の使用状態から前記収納状態に変位させたときに前記反転を解除することを特徴とする。
【発明の効果】
【０００７】
本発明によれば、表示部の位置によらず撮影者が任意に表示部の表示方向を切り替えることができ、かつ変更した表示方向の解除を適切なタイミングで行うことができる。
【図面の簡単な説明】
【０００８】
【図１】撮像装置を前側から見た斜視図である。
【図２】撮像装置を後側から見た斜視図である。
【図３】回動させた表示部を下側から見た拡大斜視図である。
【図４】回動機構の構造を説明する図である。
【図５】表示部を右方向に回動させた撮像装置を後側から見た斜視図である。
【図６】表示部の表示面を撮影者側に向けた撮像装置を後側から見た斜視図である。
【図７】表示部の表示面を被写体側に向けた撮像装置を後側から見た斜視図である。
【図８】表示部を左方向に回動させた撮像装置を後側から見た斜視図である。
【図９】表示部の表示面を撮影者側に向けた撮像装置を後側から見た斜視図である。
【図１０】表示部の表示面を被写体側に向けた撮像装置を後側から見た斜視図である。
【図１１】表示部の表示面の高さを撮影者の目の高さにしたことを示す図である。
【図１２】表示部の表示面の反対である裏面を示す図である。
【図１３】撮像装置の概略構成を示すブロック図である。
【図１４】撮像装置の処理動作を示すフローチャートである。
【発明を実施するための形態】
【０００９】
以下、本実施形態に係る撮像装置について図１〜図１４を参照して説明する。本実施形態では撮像装置をビデオカメラとして説明する。なお、図では必要に応じてビデオカメラの前方を矢印Ｆｒ、後方を矢印Ｒｒ、右側を矢印Ｒｉ、左側をＬｅで示している。
図１および図２はビデオカメラの斜視図である。図３は表示部およびその回動機構を示す図である。図４は回動機構の構造を説明する図である。図５〜図１０はビデオカメラの使用状態を示す斜視図である。図１１はビデオカメラの使用状態を示す図である。図１２は表示部の裏面を示す図である。図１３はビデオカメラのブロック図である。図１４はビデオカメラの表示反転に関する動作処理を示すフローチャートである。
【００１０】
まず、本実施形態のビデオカメラ１０は、カメラ本体１０１、レンズ部１０２、撮像部１０３、モニタ１０４、電子ビューファインダ１０５等から構成されている。カメラ本体１０１は撮像装置本体の一具体例を示す。レンズ部１０２はカメラ本体１０１の前方に突出するように取り付けられる。レンズ部１０２の先端に、レンズ部１０２に入射する不要な光を遮断するためのレンズフード１１０が着脱可能に装着されている。
モニタ１０４は、表示部であって、撮像部１０３で生成された映像信号または予め情報記録媒体に記録されている情報に基づいて画像または映像を表示する。なお、図１および図２では、モニタ１０４は収納された状態であるために、その一部しか現れていない。
【００１１】
撮像部１０３はカメラ本体１０１内に配設されていて、レンズ部１０２から入射される光に基づいて被写体の映像信号を生成する。撮像部１０３は、フラッシュメモリ等の不揮発性メモリが着脱自在に装着されるメモリホルダ（図示せず）と、装着された不揮発性メモリに対して情報信号の記録（書き込み）及び再生（読み出し）を行う記録再生部（図示せず）とを有している。また、撮像部１０３は、記録再生部の駆動制御等を行う制御部（図示せず）を有している。さらに、撮像部１０３は、一具体例であるＣＣＤがレンズ部１０２の光軸上後方に配置されていて、このＣＣＤで電気的な信号に変換された情報が不揮発性メモリに記録される。
【００１２】
メモリホルダの挿入口はカメラ本体１０１に設けられた図２に示す開閉蓋２０１を開放することで露出する。開閉蓋２０１はカメラ本体１０１に回動自在に取り付けられ、開閉自在とされている。図２に示す蓋開放ボタン２０２は、開閉蓋２０１のロックを解除するボタンである。蓋開放ボタン２０２をスライド操作することにより、開閉蓋２０１が回動自在に支持する軸を中心に回動され、開閉蓋２０１がカメラ本体１０１の上方もしくは下方に開放される。本実施形態では、メモリホルダおよび開閉蓋２０１をそれぞれ２個ずつ配置しているが、メモリホルダおよび開閉蓋２０１を１個または３個以上配置してもよい。
【００１３】
カメラ本体１０１の右側の側方には、グリップベルト等を配置したグリップ部２０３がカメラ本体１０１に一体に設けられている。撮影者はグリップ部２０３を右手で支持することで、ビデオカメラ１０を持った撮影姿勢を取ることができる。
また、カメラ本体１０１の上側には、レンズ部１０２の光軸方向である前後方向に延在された取手部１０６が一体に設けられている。取手部１０６はカメラ本体１０１の前側上部に立設された前脚部１０７と、後側上部に立設された後脚部１０８と、レンズ部１０２の光軸と略平行に延在されると共に前脚部１０７と後脚部１０８との上端間を連結する取手把持部１０９とから構成されている。
【００１４】
後脚部１０８の後側上部には、上述した電子ビューファインダ１０５が配設されている。この電子ビューファインダ１０５は取手把持部１０９の後部から、取手把持部１０９の延出方向と略同一方向に連続するように後方に突出させて設けられている。電子ビューファインダ１０５の先端部にはアイカップ１１１が取り付けられている。電子ビューファインダ１０５は取手把持部１０９の後部に回動自在に支持され、本実施形態ではその先端部が略７０度上方へ回動できるように構成されている。
【００１５】
また、図１、図２および図５〜図１０に示すように、取手部１０６の前端部には、取手把持部１０９の先端に連続する台座部１１２と、この台座部１１２の先端に連続して光軸方向前方に突出する突出部１１３とが設けられている。突出部１１３は前方及び左右側方に開口された中空部を有し、その内部に図示しないマイクロホンが収納されている。
台座部１１２の右側の側方には、ガンマイク等の外部マイクを保持するための外部マイク保持部１１４が取り付けられている。また、台座部１１２の下側には収納部を有し、回動支持部保護部材１１５内に配設された回動機構を介して台座部１１２に対して回動可能に構成されたモニタ１０４が収納されている。
【００１６】
図５等に示すようにモニタ１０４は、平面状に形成され、撮像部１０３によって撮像された被写体の画像または映像（以下、単に画像という）を表示する表示面４０１を備え、表示面４０１を露出させるための開口が穿設されたケース４０３を備えている。本実施形態では、モニタ１０４として液晶ディスプレイを用いている。
【００１７】
ここで、モニタ１０４の回動機構について、図３に示す斜視図を参照して説明する。なお、図３は、突出部１１３を下側から見た斜視図であり、回動支持部保護部材１１５を省略して図示している。モニタ１０４は、回動支持部３０１を介して、第１の回動軸３０３周りに回動する動作と第２の回動軸３０４周りに回動する動作とができるように構成されている。すなわち、図３に示すように、モニタ１０４は、回動支持部３０１を介して、台座部１１２に対して第１の回動軸３０３を中心にして、光軸方向と直交する方向である左右方向（矢印Ｌ、矢印Ｒ）に回動可能である。また、モニタ１０４は、回動支持部３０１を介して、台座部１１２に対して第２の回動軸３０４を中心にして、第１の回動軸３０３となす角が９０度となる方向（矢印Ｆ、矢印Ｂ）に回動可能である。なお、本実施形態では、モニタ１０４をグリップ部２０３側に回動した状態を右側に開いた状態とし、その反対側に回動した状態を左側に開いた状態とする。また、モニタ１０４を矢印Ｌ方向への回転を左方向、矢印Ｒ方向への回転を右方向、矢印Ｆ方向への回転を前方向、矢印Ｂ方向への回転を後方向としている。
【００１８】
回動支持部３０１は、突出部１１３にビス等で締結するための締結部３０５、締結部３０５と連結された第１の回動部３０６、ケース４０３と締結される第２の回動部３０７から構成される。回動支持部３０１は回動支持部保護部材１１５により、露出しないように構成されている（図５等参照）。
締結部３０５には軸部３０８が形成され、第１の回動部３０６は軸部３０８に挿入される軸受け部が形成される。軸部３０８の中心軸が第１の回動軸３０３となる。第１の回動部３０６は第１の回動軸３０３を中心として略１８０度の角度範囲で左右方向（矢印Ｌ、矢印Ｒ）に回動可能である。その結果、モニタ１０４は、図１および図２に示すように台座部１１２の下面に収納されるモニタ収納状態から、図５に示すようにモニタ１０４を右方向へ９０度回動させたモニタ左側開き状態に変位可能である。また、モニタ１０４は、モニタ収納状態から、図８に示すようにモニタ１０４を左方向へ９０度回動させたモニタ右側開き状態に変位可能である。
【００１９】
図４は回動支持部３０１の構造を説明する図である。図４はモニタ１０４が図１および図２に示すモニタ収納状態となっている。第１の回動部３０６には、第１の検知スイッチ３１０および第２の検知スイッチ３１１が軸部３０８を挟むように向かい合って配置されている。軸部３０８の前方側で軸部３０８の周囲を覆う円弧形状部３１２が配置されている。図４において、第１の検知スイッチ３１０および第２の検知スイッチ３１１はともにオフ状態となっている。
図４において、第１の回動部３０６を第１の回動軸３０３を中心として反時計方向に約１０度回動すると、第１の検知スイッチ３１０の当接部３１０ａが円弧形状部３１２に当接し、押し込まれることで、第１の検知スイッチ３１０がオンする。これによって、モニタ１０４をモニタ収納状態からグリップ部２０３とは反対側に回動させたことを検知している。
同様に、第１の回動部３０６を第１の回動軸３０３を中心として時計方向に約１０度回動すると、第２の検知スイッチ３１１の当接部３１１ａが円弧形状部３１２に当接し、押し込まれる。第２の検知スイッチ３１１の当接部３１１ａが円弧形状部３１２に当接し、押し込まれることで、第２の検知スイッチ３１１がオンする。これによって、モニタ１０４をモニタ収納状態からグリップ部２０３側に回動させたことを検知している。
また、第１の検知スイッチ３１０がオフとなり、第２の検知スイッチ３１１もオフとなる場合には、モニタ１０４が図１および図２に示すモニタ収納状態となっていることを検知している。
【００２０】
また、第２の回動部３０７には軸部３０９が形成され、第１の回動部３０６は軸部３０９に挿入される軸受け部が形成される。軸部３０９の中心軸が第２の回動軸３０４となる。第２の回動部３０７には、モニタ１０４を任意の角度で保持する回動摩擦機構（図示せず）を含んで構成されている。ここで、第２の回動軸３０４の軸方向は第１の回動軸３０３の軸方向となす角が９０度となる方向である。第２の回動部３０７は第２の回動軸３０４を中心として略２７０度の角度範囲で前後方向（矢印Ｆ、矢印Ｂ）に回動可能である。その結果、モニタ１０４をビデオカメラ１０の左側に回動させた場合、モニタ１０４は図５に示すように表示面４０１を上側に向けた状態から後方へ９０度回動させて表示面４０１を撮影者側に向けた図６に示す状態（通常の撮影状態）に変位可能である。また、モニタ１０４は図６に示す状態から更に後方へ９０度回動させて表示面４０１を下側に向けた状態に変位可能である。また、モニタ１０４は図５に示す状態から前方へ９０度回動させて表示面４０１を被写体側に向けた図７に示す状態（自己を撮影する状態）に変位可能である。
【００２１】
また、モニタ１０４をビデオカメラ１０の右側に回動させた場合、モニタ１０４は図８に示すように表示面４０１を上側に向けた状態から後方へ９０度回動させて表示面４０１を撮影者側に向けた図９に示す状態（通常の撮影状態）に変位可能である。また、モニタ１０４は図８に示す状態から前方へ９０度回動させて表示面４０１を被写体側に向けた図１０に示す状態（自己を撮影する状態）に変位可能である。また、モニタ１０４は図１０に示す状態から更に前方へ９０度回動させて表示面４０１を下側に向けた状態に変位可能である。
このように、モニタ１０４の位置はビデオカメラ１０の左右両側で同様の状態に変位することができる。
【００２２】
なお、図１および図２に示す状態では、モニタ１０４は取手部１０６の台座部１１２の下側に収納され、モニタ１０４の表示面４０１が台座部１１２に覆われている。そのため、表示面４０１が台座部１１２と重なり合うように内向きに対向されて配置されていることから、その表示面４０１をしっかりと保護することができる。
【００２３】
また、回動支持部３０１の第１の回動軸３０３が台座部１１２よりもレンズ部１０２の光軸前方に配置されているので、ビデオカメラ１０は、例えば、次のようにして良好な撮影作業等を行うことができる。
図１および図２に示す状態から、モニタ１０４を右方向に略９０度回動させることにより、図５に示すようにモニタ１０４をカメラ本体１０１の左側で表示面４０１を上方に向ける状態に変位させることができる。この状態では撮影者はモニタ１０４の表示面４０１を上方から被写体の画像を確認しながら、撮影することができる。
【００２４】
更に、図５に示す状態から、モニタ１０４を前方へ略９０度回動させることにより、図７に示すように表示面４０１を被写体側に向ける状態に変位させることができる。
また、図５に示す状態から、モニタ１０４を後方へ略９０度回動させることにより、図６に示すように表示面４０１を撮影者側に向ける状態に変位させることができる。この場合、図１１に示すように撮影者の目から表示面４０１までの距離Ｄを最適に確保できるため、楽な姿勢でビデオカメラ１０を支持しながら、表示面４０１を視認して大きく目線をそらすことなく、撮影を実行できる。この状態では、例えば図１１に示すように撮影者の頬を電子ビューファインダ１０５に当てるようにビデオカメラ１０を構えた場合、モニタ１０４の表示面４０１を撮影者の目線上に設定して支持できるようになる。さらに、両腕を脇に近づけてビデオカメラ１０を支持することができるため、腕に大きな力を加えることなく、比較的小さな力でビデオカメラ１０を支持することができる。そのため、長時間の撮影においても疲労を少なくし、表示面４０１が安定してブレの少ない良好な撮影を行うことができる。
【００２５】
また、図１および図２に示す状態から、モニタ１０４を左方向に略９０度回動させることにより、図８に示すようにモニタ１０４がカメラ本体１０１の右側で表示面４０１を上方に向ける状態に変位させることができる。
更に、図８に示す状態から、モニタ１０４を前方へ略９０度回動させることにより、図１０に示すように表示面４０１を被写体側に向ける状態に変位させることができる。
また、図８に示す状態から、モニタ１０４を後方へ略９０度回動させることにより、図９に示すように表示面４０１を撮影者側に向ける状態に変位させることができる。
【００２６】
次に、本実施形態では撮像部１０３によって撮像されモニタ１０４に表示された画像の表示方法、具体的には表示方向を撮影者が任意に切り替えることができるようになっている。図１２に示すように、撮影者はモニタ１０４の裏面３０２に設けられた操作部材としての表示反転操作ボタン１１０１を押すごとに、反転表示フラグをオンオフして、表示方向を切り替えることができる。
本実施形態のモニタ１０４のケース４０３内（表示部内）には、表示面４０１に対してバックライトを照射するために図１２の破線で示すような発光部４０２が設けられている。表示反転操作ボタン１１０１は、この発光部４０２に近接した位置、ここでは発光部４０２とモニタ１０４の厚み方向で重なる位置または略重なる位置に設けられている。図５に示すように、表示面４０１側から見たときに、表示面４０１の周囲の外枠４０４のうち発光部４０２を覆う一辺の外枠４０４ａは、他辺の外枠に比べて幅が厚くなる。したがって、撮影者は幅の厚い外枠４０４ａに指をかけながら、表示反転操作ボタン１１０１を押すことができるので、表示反転操作ボタン１１０１を押すときの操作性を向上させることができる。
なお、本実施形態ではモニタ１０４の裏面３０２に表示反転操作ボタン１１０１を配置しているが、表示反転操作ボタン１１０１は、モニタ１０４の外枠４０４に設けられていてもよい。また、表示反転操作ボタン１１０１は、カメラ本体１０１の台座部１１２上面に配置されていてもよい。
【００２７】
また、図７に示すようにモニタ１０４をカメラ本体１０１の左側で、表示面４０１を被写体側に向ける状態に変位させたときに、表示反転操作ボタン１１０１は、モニタ１０４の裏面３０２の上方であって突出部１１３側に位置する。したがって、撮影者は表示反転操作ボタン１１０１を確認しながら、グリップ部２０３を支持していない左手で容易に表示反転操作ボタン１１０１を押すことができる。具体的には、撮影者は表示面４０１側のケース４０３の外枠４０４に左手の親指以外の指を掛けて、左手の親指で表示反転操作ボタン１１０１を押すことで、ビデオカメラ１０に対してブレを与えることなく操作を行うことができる。
【００２８】
次に、表示反転操作ボタン１１０１の押下（ユーザ操作）により、ビデオカメラ１０がモニタ１０４に表示する画像の表示方向を切り替える処理動作について説明する。まず、ここでは、ビデオカメラ１０が上述した処理動作を行うための主要な構成について図１３を参照して説明する。図１３は、ビデオカメラ１０の主要な構成を示すブロック図である。なお、上述で説明した同一の構成要素は、同一符号を付してその説明を省略する。
【００２９】
図１３に示すように、ビデオカメラ１０には表示制御部１２０３を有している。表示制御部１２０３は撮像部１０３により生成された被写体の画像をモニタ１０４に送ることで、表示面４０１に画像が表示される。また、モニタ１０４が台座部１１２に収納されている場合、第１の検知スイッチ３１０および第２の検知スイッチ３１１がオフとなって、表示制御部１２０３はモニタ１０４を非表示の状態にする。
また、収納状態のモニタ１０４を台座部１１２から第１の方向である左方向（矢印Ｒ方向）に１０度以上回動させると、第１の検知スイッチ３１０がオンする。すると、表示制御部１２０３は、モニタ１０４の表示面４０１に撮像されている被写体画像を表示する。このとき、表示制御部１２０３は、図５または図６のように、モニタ１０４の表示面４０１が撮影者側を向いた状態で撮影者側から表示面４０１を見たとき、被写体画像が正立して表示される第一の表示方向で被写体画像をモニタ１０４に表示する。図５または図６の状態が第１の使用状態となる。
次に、撮影者が表示反転操作ボタン１１０１を操作することで、反転表示フラグがオンとなり、表示制御部１２０３はモニタ１０４に表示される被写体画像の表示方向を切り替える。具体的には、表示制御部１２０３は、第一の表示方向からモニタ１０４の表示面４０１が被写体側を向いた状態で被写体側から表示面４０１を見たとき、図７のように、被写体画像が正立して表示される第二の表示方向に切り替える。すなわち、表示制御部１２０３は、表示している被写体画像を表示面４０１の上下方向における中心で上下対称に反転させて表示する。なお、表示制御部１２０３は、表示反転操作ボタン１１０１が押下される毎に、反転表示フラグをオンオフして、第一の表示方向から第二の表示方向、第二の表示方向から第一の表示方向に切り替える。
一方、収納状態のモニタ１０４を台座部１１２から第１の方向とは反対方向の第２の方向である右方向（矢印Ｌ方向）に１０度以上回動させると、第２の検知スイッチ３１１がオンする。すると、表示制御部１２０３は、モニタ１０４の表示面４０１に撮像されている被写体画像を表示する。このとき、表示制御部１２０３は、図８または図９のように、モニタ１０４の表示面４０１が撮影者側を向いた状態で撮影者側から表示面４０１を見たとき、被写体画像が正立して表示される第二の表示方向で被写体をモニタ１０４に表示する。図８または図９の状態が第２の使用状態となる。
次に、撮影者が表示反転操作ボタン１１０１を操作することで、反転表示フラグがオンとなり、表示制御部１２０３はモニタ１０４に表示される被写体画像の表示方向を切り替える。具体的には、表示制御部１２０３は、第二の表示方向からモニタ１０４の表示面４０１が被写体側を向いた状態で被写体側から表示面４０１を見たとき、図１０のように、被写体画像が正立して表示される第一の表示方向に切り替える。すなわち、表示制御部１２０３は、表示している被写体画像を表示面４０１の上下方向における中心で上下対称に反転させて表示する。なお、表示制御部１２０３は、表示反転操作ボタン１１０１が押下される毎に、反転表示フラグをオンオフして、第一の表示方向から第二の表示方向、第二の表示方向から第一の表示方向に切り替える。
【００３０】
次に、ビデオカメラ１０がモニタ１０４に表示する画像を第一の表示方向または第二の表示方向に切り替える処理動作について図１４に示すフローチャートを参照して説明する。
まず、ステップＳ１３０１において、ビデオカメラ１０の電源が投入されると、ステップＳ１３０２において、表示制御部１２０３は第１の検知スイッチ３１０がオンしているかどうかを判断する。第１の検知スイッチ３１０がオンしている場合には、ステップＳ１３０５に処理を進め、第１の検知スイッチ３１０がオンしていない場合には、ステップＳ１３０３に処理を進める。ステップＳ１３０５において、表示制御部１２０３は第一の表示方向で被写体画像をモニタ１０４に表示して、ステップＳ１３０６に処理を進める。ステップＳ１３０６において、表示制御部１２０３は撮影者が表示反転操作ボタン１１０１を操作したか否かを判断する。表示反転操作ボタン１１０１が操作されていない場合、ステップＳ１３１３に処理を進め、表示反転操作ボタン１１０１が操作された場合、ステップＳ１３０７に処理を進める。ステップＳ１３０７において、表示制御部１２０３は反転表示フラグをオンして、ステップＳ１３０８に処理を進める。ステップＳ１３０８において、表示制御部１２０３は第二の表示方向で被写体画像をモニタ１０４に表示して、ステップＳ１３１３に処理を進める。
ステップＳ１３０３において、表示制御部１２０３は第２の検知スイッチ３１１がオンしているかどうかを判断する。第２の検知スイッチ３１１がオンしている場合には、ステップＳ１３０９に処理を進め、第２の検知スイッチ３１１がオンしていない場合には、ステップＳ１３０４に処理を進める。ステップＳ１３０９において、表示制御部１２０３は第二の表示方向で被写体画像をモニタ１０４に表示して、ステップＳ１３１０に処理を進める。ステップＳ１３１０において、表示制御部１２０３は撮影者が表示反転操作ボタン１１０１を操作したか否かを判断する。表示反転操作ボタン１１０１が操作されていない場合、ステップＳ１３１３に処理を進め、表示反転操作ボタン１１０１が操作された場合、ステップＳ１３１１に処理を進める。ステップＳ１３１１において、表示制御部１２０３は反転表示フラグをオンして、ステップＳ１３１２に処理を進める。ステップＳ１３１２において、表示制御部１２０３は第一の表示方向で被写体画像をモニタ１０４に表示して、ステップＳ１３１３に処理を進める。
ステップＳ１３０４において、表示制御部１２０３は反転表示フラグをオフして、ステップＳ１３１３に処理を進める。すなわち、ステップＳ１３０４では、表示反転操作ボタン１１０１が操作されていなくても、強制的に反転表示フラグをオフしている。すなわち、モニタ１０４をモニタ収納状態とすることで、反転表示フラグを強制的にオフことができる。
ステップＳ１３１３において、ビデオカメラ１０は電源オフされたか否かを判定し、電源オフされた場合、表示方向の切替の動作処理を終了する。また、電源オフされていない場合、ステップＳ１３０２に処理を戻す。なお、ビデオカメラ１０の電源はモニタ１０４の状態に関わらず、オフすることが可能である。
【００３１】
このように、本実施形態によれば、モニタ１０４に表示される画像の表示反転の切り替えを撮影者が表示反転操作ボタン１１０１を介して任意に操作できる。したがって、撮影者が所望する位置でモニタ１０４に表示される画像の表示反転を行うことができる。
【００３２】
また、モニタ１０４が台座部１１２に収納される際、モニタ１０４の表示面４０１に表示される画像の表示反転を自動的に解除されるようにしたことで、次の撮影者が表示面４０１の表示反転を解除する必要がなくなり、使い勝手を向上させることができる。
【符号の説明】
【００３３】
１０：ビデオカメラ  １０１：カメラ本体  １０２：レンズ部  １０３：撮像部
１０４：平面モニタ  １０５：電子ビューファインダ  １０６：取手部
１０７：前脚部  １０８：後脚部  １０９：取手把持部  １１２：台座部
１１３：突出部  １１５：回動支持部保護部材
３０１：回動支持部  ３０３：第１の回動軸  ３０４：第２の回動軸
３０８：第１の回動部  ３０９：第２の回動部  ４０１：表示面
１１０１：表示反転操作ボタン  １２０３：表示制御部
【図１】
0005388806.tif 000002
【図２】
0005388806.tif 000003
【図３】
0005388806.tif 000004
【図４】
0005388806.tif 000005
【図５】
0005388806.tif 000006
【図６】
0005388806.tif 000007
【図７】
0005388806.tif 000008
【図８】
0005388806.tif 000009
【図９】
0005388806.tif 000010
【図１０】
0005388806.tif 000011
【図１１】
0005388806.tif 000012
【図１２】
0005388806.tif 000013
【図１３】
0005388806.tif 000014
【図１４】
0005388806.tif 000015